(57)【特許請求の範囲】
【請求項１】
ケーシングに設けられたプリンタ機構収納部を開閉する回動自在のプリンタカバーと、
前記プリンタ機構収納部に収納されてプラテンを有する下部ユニットと、
前記下部ユニットに対して前記プリンタカバーと同一方向に開閉し、その開閉に伴い前記プラテンに対して接離するサーマルヘッドを有する上部ユニットと、
前記プリンタカバーが閉じられた状態で前記上部ユニットに開閉方向への所定量の変位を許容する遊びストロークをもって前記プリンタカバーと前記上部ユニットとを連結し、これらのプリンタカバーと上部ユニットとを連動させる連結機構と、
前記上部ユニットを前記下部ユニットに対して半開位置に位置付け、前記上部ユニットの荷重位置に少なくともその上部ユニットの自重よりも大きな外力が加えられることにより前記上部ユニットに対して半開位置から閉じる位置への変位を許容し、閉じる位置に変位した前記上部ユニットをロックするロック機構と、
閉じられた前記プリンタカバーに開放方向への所定以上の外力が作用することにより前記ロック機構による前記上部ユニットのロックを解除するロック解除機構と、
前記プリンタカバーにおける前記上部ユニットの前記荷重位置に当接する位置に変位自在に取り付けられ、前記プリンタカバーが閉じられた状態で、前記上部ユニットが半開位置に位置する場合には前記プリンタカバーから突出して前記上部ユニットが閉じられた位置に位置する場合には前記プリンタカバーと略同一面内に位置付けられる押圧部材と、
を備えるプリンタ。
【請求項２】
前記押圧部材の前記プリンタカバーに対する引出可能部分には、前記プリンタカバーの色とは異なる色が着色されている請求項１記載のプリンタ。
【請求項３】
前記プリンタカバーの閉止方向への動作に対して抑制力を働かすダンパ機構を備える請求項１または２記載のプリンタ。
【発明の詳細な説明】
【０００１】
【発明の属する技術分野】
本発明は、下部ユニットにプラテンを備え、その下部ユニットに対して開閉自在の上部ユニットにサーマルヘッドを備えるプリンタに関する。
【０００２】
【従来の技術】
例えば、ＰＯＳ端末等の商品販売登録データ処理装置に搭載されてレシートの印字を行うようなサーマルプリンタには、下部ユニットにプラテンと用紙収納部とを備え、この下部ユニットに対して開閉自在に設けられる上部ユニットにサーマルヘッドを備えているものがある。このような方式のサーマルプリンタでは、下部ユニットと上部ユニットとの間に用紙搬送路が形成されるので、ロール状に巻回された長尺状のレシート用紙を用紙収納部に収納してそのレシート用紙を引き出した後、上部ユニットを閉じて下部ユニットにロックするだけで、レシート用紙を介してサーマルヘッドをプラテンに所定の加圧力で当接させることができる。
【０００３】
【発明が解決しようとする課題】
ところで、前述したようなサーマルプリンタは、ＰＯＳ端末とは別体で設計される場合が多く、さらに、ＰＯＳ端末の使用形態や形状を考慮するとＰＯＳ端末に内蔵される場合が多い。したがって、ＰＯＳ端末の筐体には、内蔵されたサーマルプリンタ用のプリンタカバーが開閉自在に設けられることになる。
【０００４】
ところが、このようなプリンタカバーを備えたＰＯＳ端末のサーマルプリンタにレシート用紙を補充する場合、プリンタカバーと上部ユニットとをそれぞれ別々に開閉しなければならなくなることにより、操作が煩雑になってしまうので、場合によっては客に対して迷惑がかかってしまう。
【０００５】
また、このようなサーマルプリンタにおいては、下部ユニットに対して上部ユニットを閉止させる際に、サーマルヘッドとプラテンとを激しく当接させてしまってサーマルヘッドを破損してしまう場合がある。
【０００６】
本発明の目的は、プリンタへの用紙補充作業を容易にすることである。
【０００７】
本発明の目的は、サーマルヘッドを保護することができるプリンタを得ることである。
【０００８】
【課題を解決するための手段】
請求項１記載の発明は、ケーシングに設けられたプリンタ機構収納部を開閉する回動自在のプリンタカバーと、前記プリンタ機構収納部に収納されてプラテンを有する下部ユニットと、前記下部ユニットに対して前記プリンタカバーと同一方向に開閉し、その開閉に伴い前記プラテンに対して接離するサーマルヘッドを有する上部ユニットと、前記プリンタカバーが閉じられた状態で前記上部ユニットに開閉方向への所定量の変位を許容する遊びストロークをもって前記プリンタカバーと前記上部ユニットとを連結し、これらのプリンタカバーと上部ユニットとを連動させる連結機構と、前記上部ユニットを前記下部ユニットに対して半開位置に位置付け、前記上部ユニットの荷重位置に少なくともその上部ユニットの自重よりも大きな外力が加えられることにより前記上部ユニットに対して半開位置から閉じる位置への変位を許容し、閉じる位置に変位した前記上部ユニットをロックするロック機構と、閉じられた前記プリンタカバーに開放方向への所定以上の外力が作用することにより前記ロック機構による前記上部ユニットのロックを解除するロック解除機構と、前記プリンタカバーにおける前記上部ユニットの前記荷重位置に当接する位置に変位自在に取り付けられ、前記プリンタカバーが閉じられた状態で、前記上部ユニットが半開位置に位置する場合には前記プリンタカバーから突出して前記上部ユニットが閉じられた位置に位置する場合には前記プリンタカバーと略同一面内に位置付けられる押圧部材と、を備える。
【０００９】
したがって、プリンタカバーに開放方向への所定以上の外力を作用させるとロック解除機構によってロック機構による上部ユニットのロックが解除され、下部ユニットのプラテンから上部ユニットのサーマルヘッドが離れる。さらにプリンタカバーに外力を作用させて開放方向に回動させると、連結機構によってこのプリンタカバーの開放動作に連動して上部ユニットも開放方向に回動される。一方、プリンタカバーに外力を作用させてプリンタカバーを閉じた状態では、連結機構によってこのプリンタカバーの閉止動作に連動して上部ユニットも閉止方向に回動するが、連結機構の有する上部ユニットに開閉方向への変位を許容する遊びストロークによって上部ユニットは下部ユニットに対して半開位置に位置付けられ、上部ユニットの荷重位置に当接する押圧部材がプリンタカバーから一部突出する。そして、この一部突出した押圧部材に少なくとも上部ユニットの自重よりも大きな外力が加えられることによりロック機構が変位し、上部ユニットも半開位置から閉じる位置へと変位してロックされ、上部ユニットが閉じられた状態になる。これにより、プリンタカバーと上部ユニットとが一回の作業で同時に開放されるとともに、プリンタカバーを閉じた状態では、上部ユニットが下部ユニットに対して半開位置に一時的に位置付けられるので、サーマルヘッドの破損も回避され、かつ、押圧部材の存在により上部ユニットが下部ユニットに対して確実にロックされる。
【００１０】
請求項２記載の発明は、請求項１記載のプリンタにおいて、前記押圧部材の前記プリンタカバーに対する引出可能部分には、前記プリンタカバーの色とは異なる色が着色されている。
【００１１】
したがって、押圧部材のプリンタカバーに対する引出可能部分にそのプリンタカバーの色とは異なる色が着色されることにより、押圧部材のプリンタカバーからの突出が肉眼で明確に確認される。
【００１２】
請求項３記載の発明は、請求項１または２記載のプリンタにおいて、前記プリンタカバーの閉止方向への動作に対して抑制力を働かすダンパ機構を備える。
【００１３】
したがって、プリンタカバーの閉止動作の際には、ダンパ機構によってプリンタカバーの閉止方向への動作に対して抑制力が働くことにより、プリンタカバーが重力によって急激に回動することがない。
【００１４】
【発明の実施の形態】
本発明の実施の一形態を図１ないし図６に基づいて説明する。
【００１５】
図１はＰＯＳ端末１の構造を示す外観斜視図である。図１に示すように、ＰＯＳ端末１のケーシングである筐体２の操作者側から見て左側には、サーマルプリンタユニット３（図２参照）を内蔵するプリンタ機構収納部４やＩＣカード等を挿入するカード挿入口５等が設けられている。このプリンタ機構収納部４には、筐体２に対して開閉自在であって、閉じられた状態ではサーマルプリンタユニット３によって印字されるレシート等を発行するレシート排出口６を形成するプリンタカバー７が設けられている。また、プリンタカバー７の上部には、ハンドスキャナ（図示せず）を載置するためのスキャナ載置部８が形成されている。一方、ＰＯＳ端末１の筐体２の操作者側から見て右側には、チルト自在なディスプレイ９、各種のキーが集合するキーボード１０、磁気カードを挿入する磁気カード挿入口１１等が設けられている。
【００１６】
次に、プリンタ機構収納部４の周辺の取付構造について説明する。ここで、図２はＰＯＳ端末１のプリンタ機構収納部４付近を示す縦断側面図、図３はサーマルプリンタユニット３とプリンタカバー７との構成を概略的に示す分解斜視図である。
【００１７】
図２に示すように、プリンタ機構収納部４に収納されたサーマルプリンタユニット３は、プラテン１２とロール状に巻回された長尺状のレシート用紙Ｒを収納する用紙収納部１３とを備えた下部ユニット１４とサーマルヘッド１５を備えた上部ユニット１６とにより構成されている。そして、上部ユニット１６は、下部ユニット１４に対して支軸Ａによって軸支され開閉自在とされている。また、上部ユニット１６は、後述する連結機構によってプリンタカバー７の開閉動作と連動して開閉動作する構造とされている。これらの下部ユニット１４と上部ユニット１６とには、閉じられた状態の上部ユニット１６を下部ユニット１４に対してロックするロック機構Ｌが、サーマルプリンタユニット３の操作者から見て左右両側にそれぞれ設けられている。このロック機構Ｌのロック状態は、後述するロック解除機構によって解除される。つまり、ロック機構Ｌとロック解除機構とにより、下部ユニット１４と上部ユニット１６とは係脱自在になっている。なお、上部ユニット１６が閉じられた状態にあってロック機構Ｌがロック状態にある場合には、プラテン１２とサーマルヘッド１５との間に用紙案内経路（図示せず）が形成されるとともに、サーマルヘッド１５をプラテン１２に所定の加圧力で当接させることができるように構成されている。
【００１８】
次に、ロック機構Ｌの構造について詳細に説明する。図２に示すように、ロック機構Ｌは、下部ユニット１４に設けられて付勢部材（図示せず）により係合方向に付勢されたフックアーム１７と、上部ユニット１６に設けられたロックピン１８とを主体に構成されている。このフックアーム１７は、軸１９により軸支されてロックピン１８に係脱自在に設けられている。つまり、上部ユニット１６は、フックアーム１７がロックピン１８に係合することで閉じた位置に位置決めされ、その係合が解除されることで開くことができる。また、フックアーム１７には、上部ユニット１６が閉じられる際にロックピン１８に当接しつつその干渉をフックアーム１７の軸１９による回動作用で逃がすための傾斜部１７ａが形成されている。なお、上部ユニット１６が下部ユニット１４に対して半開位置に位置付けられる場合、この傾斜部１７ａ上にロックピン１８が位置することになる。この半開状態で上部ユニット１６の荷重位置１６ａにその自重よりも大きな外力が加えられると、ロックピン１８に対する干渉がフックアーム１７の回動動作によって逃されながら上部ユニット１６が変位し、最終的にはロックピン１８にフックアーム１７が係合し、上部ユニット１６は下部ユニット１４に対して閉じられた状態になってロックされることになる。また、フックアーム１７には、三角形状のリリースチップ２０が取り付けられている。
【００１９】
一方、図２に示すように、プリンタカバー７は、支軸Ａに対して平行に設けられた支軸Ｂによって軸支されることにより筐体２に対して開閉自在とされている。このプリンタカバー７には、取っ手部２１が形成されており、この取っ手部２１を操作者が把持して上下動させることによりプリンタカバー７の開閉が可能になる。また、この取っ手部２１が、プリンタカバー７を閉じた状態においてレシート排出口６の一部を形成することになる。さらに、図３に示すように、プリンタカバー７には穴部２２が形成されており、この穴部２２には押圧部材として機能するプッシュボタン２３がプリンタカバー７の表面７ａに対して変位自在に取り付けられている。詳細には、穴部２２には突起２２ａが対向して突出形成され、プッシュボタン２３には溝状のガイド２３ｂがそれらの突起２２ａに対向して形成されている。そして、穴部２２の突起２２ａに対してプッシュボタン２３のガイド２３ｂを滑り込ませることにより、穴部２２の突起２２ａが、プッシュボタン２３のプッシュ面２３ａを一定位置よりも下方に落ち込まないように規制することになる。つまり、プッシュボタン２３は、サーマルプリンタユニット３の下部ユニット１４と上部ユニット１６とがロック機構Ｌによって完全にロックされている状態では、その下部２３ｄを上部ユニット１６の荷重位置１６ａに当接させ、上部のプッシュ面２３ａをプリンタカバー７の表面７ａと略同一面内に位置付けさせている（図２参照）。なお、プッシュボタン２３においては、プッシュ面２３ａの色とプッシュ面２３ａ以外の部分（穴部２２からの引出可能部分）２３ｃの色とが、異なる色に塗り分けられている。本実施の形態においては、プッシュ面２３ａの色は筐体２やプリンタカバー７と同色の白色であって、プッシュ面２３ａ以外の部分２３ｃの色は赤色とされている。
【００２０】
プリンタカバー７の操作者から見て左右両側には、ガイドレールフレーム２４が備えられている。これらのガイドレールフレーム２４には、スリット状のガイドレール２５がそれぞれ形成されている。また、取っ手部２１の側に位置するガイドレール２５の端部は、このガイドレール２５の幅に比べて幅広の大径部２６とされている。さらに、取っ手部２１の側に位置するガイドレールフレーム２４の端部には、円盤形状のリリースロッド２７が設けられている。このリリースロッド２７は、プリンタカバー７が閉じられた状態にある場合には、ロック機構Ｌのフックアーム１７に設けられた三角形状のリリースチップ２０の一辺に当接している。したがって、プリンタカバー７に外力を作用させて開放させる方向に回動させた場合には、プリンタカバー７のガイドレールフレーム２４に設けられたリリースロッド２７が、フックアーム１７の三角形状のリリースチップ２０を付勢部材の付勢力に反してその形状に従って押すことでフックアーム１７を回動させることになる。こうすることにより、フックアーム１７とロックピン１８との係合が解除され、ロック機構Ｌのロックを解除することができる。つまり、フックアーム１７のリリースチップ２０とリリースロッド２７とがロック解除機構として機能することになる。
【００２１】
また、ガイドレールフレーム２４のサーマルプリンタユニット３側には、レール状の板ばね２８がそれぞれ設けられている。
【００２２】
加えて、上部ユニット１６のロック機構Ｌの近傍には、ガイドレールフレーム２４のガイドレール２５に差し込まれるスライド軸２９を有する円盤状のガイドレールスペーサ３０が回動自在にそれぞれ設けられている。このガイドレールスペーサ３０のスライド軸２９がプリンタカバー７に設けられたガイドレールフレーム２４のガイドレール２５に差し込まれることにより、プリンタカバー７の開閉動作に伴ってスライド軸２９がガイドレール２５内をスライド自在に摺動することになる。すなわち、下部ユニット１４との係合状態が解除された上部ユニット１６が、ガイドレール２５の軌道に従ってプリンタカバー７の開閉動作に連動して開閉する構造になっている。つまり、ガイドレール２５とスライド軸２９とによってサーマルプリンタユニット３の上部ユニット１６とプリンタカバー７とを連結する連結機構が構成されている。なお、ガイドレール２５の大径部２６は、プリンタカバー７が閉じられてロック機構Ｌがロックされた状態で、ガイドレールスペーサ３０のスライド軸２９をフリーな状態で位置させ、かつ、上部ユニット１６に開閉方向への所定量の変位を許容する遊びストロークを持たせている。また、このガイドレールスペーサ３０の軌道は、プリンタカバー７を閉止方向に回動させた場合において、ガイドレールフレーム２４のサーマルプリンタユニット３側に設けられたレール状の板ばね２８に干渉する。
【００２３】
さらに、サーマルプリンタユニット３の用紙案内経路にはレシート用紙Ｒを切断するカッタ機構Ｃが備えられており、このカッタ機構Ｃは上部ユニット１６に設けられる固定刃３１と、下部ユニット１４に設けられる可動刃３２とにより構成されている。可動刃３２は図示しないモータを駆動源としており、この可動刃３２と固定刃３１とがハサミのように噛み合って摺動することによりレシート用紙Ｒが切断される。加えて、固定刃３１には、上部ユニット１６が開かれている場合に例えば操作者の手等に触れないようにするためのカッタカバー３３が、軸３４により回動自在に設けられている。このカッタカバー３３は、固定刃３１に当接した場合にのみ可動刃３２を露出させるような形状になっている。
【００２４】
このような構成においてプリンタカバー７と上部ユニット１６との開放動作について図４及び図５を参照して説明する。まず、サーマルプリンタユニット３の下部ユニット１４の用紙収納部１３にレシート用紙Ｒを補充する場合には、レシート排出口６の一部を形成するプリンタカバー７の取っ手部２１を把持して引き上げる。プリンタカバー７の取っ手部２１が引き上げられると、プリンタカバー７のガイドレールフレーム２４に設けられたリリースロッド２７がフックアーム１７の三角形状のリリースチップ２０を押しながらフックアーム１７を回動させることにより、フックアーム１７とロックピン１８との係合が解除され、サーマルプリンタユニット３を構成する下部ユニット１４と上部ユニット１６との閉止状態が解除される。なお、このようにロック機構Ｌの係合をスムーズに解除するためには、ロックピン１８を一時的に静止状態にする必要がある。本実施の形態においては、ガイドレール２５の端部を幅広の大径部２６としたことにより、上部ユニット１６に開閉方向への所定量の変位を許容する遊びを生じさせ、プリンタカバー７を引き上げる際に大径部２６の遊び部分にガイドレールスペーサ３０のスライド軸２９を入り込ませることで、プリンタカバー７のガイドレールフレーム２４に設けられたリリースロッド２７の動作開始に比べて上部ユニット１６のロックピン１８の動作開始を一瞬だけ遅らせることができるので、ロック機構Ｌのフックアーム１７とロックピン１８との係合の解除がスムーズに実行されることになる。
【００２５】
このようにしてロック機構Ｌのロック状態が解除されると、プリンタカバー７の取っ手部２１の引上げに伴ってプリンタカバー７が開放され、カッタ機構Ｃの固定刃３１と可動刃３２とが分離される。さらに、プリンタカバー７の開放動作に伴って上部ユニット１６に設けられたガイドレールスペーサ３０のスライド軸２９がガイドレールフレーム２４のガイドレール２５内をスライドしながら移動するため、図５に示すように、最終的にはプリンタカバー７の開放動作に連動して上部ユニット１６も全開放されることになる。
【００２６】
したがって、プリンタカバー７の支軸Ｂと上部ユニット１６の支軸Ａとが、同軸上に位置しなくても、プリンタカバー７と上部ユニット１６とが連動して同時に完全に開放されることにより、プラテン１２とサーマルヘッド１５とが開放され、カッタ機構Ｃの可動刃３２と固定刃３１とが開放されるので、用紙案内経路が完全に開放され、レシート用紙Ｒの用紙収納部１３への補充作業が容易になる。
【００２７】
次に、プリンタカバー７と上部ユニット１６との閉止動作について図６を参照して説明する。レシート用紙Ｒの用紙収納部１３への補充後においては、プリンタカバー７を押し下げて閉じる方向に回動させることにより、そのプリンタカバー７の閉止動作に伴って上部ユニット１６に設けられたガイドレールスペーサ３０のスライド軸２９がガイドレールフレーム２４のガイドレール２５内をスライドしながら移動するため、プリンタカバー７の閉止動作に連動して上部ユニット１６も閉止方向に回動される。なお、このようにプリンタカバー７を閉止方向に回動させる際には、ガイドレールスペーサ３０はガイドレールフレーム２４に設けられた板ばね２８に当接しながらスライド軸２９をガイドレールフレーム２４のガイドレール２５内でスライドさせることになるので、プリンタカバー７が重力によって急激に回動することはない。つまり、板ばね２８がダンパ機構として機能することになる。これにより、操作者等がプリンタカバー７や上部ユニット１６によって指等を挟まれることが防止され、安全な運用を図ることができる。
【００２８】
ところが、このようにプリンタカバー７を押し下げて閉じられた状態になった場合、図６に示すように、ガイドレール２５の大径部２６の上部にガイドレールスペーサ３０のスライド軸２９が逃げ込むことにより、ロック機構Ｌのロックピン１８とフックアーム１７とは係合されず、上部ユニット１６は半開位置に位置付けられる。このため、プッシュボタン２３の下部２３ｄが半開状態の上部ユニット１６の荷重位置１６ａに当接することにより、プッシュボタン２３が上部ユニット１６によって収納範囲を制限されるので、プッシュボタン２３の一部がプリンタカバー７の表面７ａから突出して飛び出した状態になる。つまり、このようにプッシュボタン２３を飛び出させることで、ロック機構Ｌがロック状態にはないことを操作者等に報知することができるようになっている。加えて、プッシュボタン２３のプッシュ面２３ａの色とプッシュ面２３ａ以外の部分２３ｃの色とが異なる色に塗り分けられていることにより、プッシュボタン２３が飛び出していることを肉眼で明確に確認することができるようになっている。なお、このように上部ユニット１６を下部ユニット１４に対して半開位置に一時的に位置付けることによって、サーマルヘッド１５とプラテン１２とを激しく当接させることを防止することができ、サーマルヘッド１５を保護することができる。また、この場合、プリンタカバー７も完全に閉じられた状態にはなっておらず、レシート排出口６の形成が不完全な状態であって上方に幅広に形成された状態になっている。
【００２９】
このようにプッシュボタン２３が飛び出している場合には、ガイドレール２５の大径部２６の有する上部ユニット１６の遊びストロークに従って、このプッシュボタン２３で上部ユニット１６の荷重位置１６ａを上部ユニット１６の自重よりも大きな力で押し下げて上部ユニット１６を閉止方向に回動させることにより、フックアーム１７の傾斜部１７ａにロックピン１８を当接させつつその干渉をフックアーム１７の軸１９による回動作用によって逃がしながら上部ユニット１６を変位させ、最終的にはロックピン１８にフックアーム１７を係合させてロック機構Ｌをロック状態にし、カッタ機構Ｃの固定刃３１と可動刃３２とを当接させ、上部ユニット１６を確実に閉じた状態にすることができる。
【００３０】
一方、プッシュボタン２３の押し下げに従ってそのプッシュボタン２３のガイド２３ｂがプリンタカバー７の穴部２２の突起２２ａに当接することによりプリンタカバー７も押し下げられることになるので、最終的には、プリンタカバー７を確実に閉じた状態にすることができ、レシート排出口６を完全な状態に形成することができる。
【００３１】
【発明の効果】
請求項１記載の発明によれば、プリンタカバーに開放方向への所定以上の外力を作用させて上部ユニットのロックを解除して下部ユニットのプラテンから上部ユニットのサーマルヘッドを離し、さらにプリンタカバーに外力を作用させて開放方向に回動させるとこのプリンタカバーの開放動作に連動して上部ユニットも開放方向に回動する。一方、プリンタカバーに外力を作用させてプリンタカバーを閉じた状態では、このプリンタカバーの閉止動作に連動して上部ユニットも閉止方向に回動するが、上部ユニットに開閉方向への変位を許容する遊びストロークによって上部ユニットを下部ユニットに対して半開位置に位置付けることで上部ユニットの荷重位置に当接する押圧部材をプリンタカバーから一部突出させ、この一部突出した押圧部材に少なくとも上部ユニットの自重よりも大きな外力を加えることにより上部ユニットも半開位置から閉じる位置へ変位させてロックして上部ユニットを閉じた状態にすることにより、プリンタカバーと上部ユニットとを一回の作業で同時に開放することができるとともに、プリンタカバーを閉じた状態では、上部ユニットを下部ユニットに対して半開位置に一時的に位置付けることができるので、サーマルヘッドの破損を回避することができ、かつ、押圧部材の存在により上部ユニットを下部ユニットに対して確実にロックすることができる。
【００３２】
請求項２記載の発明によれば、請求項１記載のプリンタにおいて、押圧部材のプリンタカバーに対する引出可能部分にそのプリンタカバーの色とは異なる色を着色することにより、押圧部材のプリンタカバーからの突出を肉眼で明確に確認することができるので、確実にロック機構をロック状態にすることができ、用紙案内経路を確実に形成することによる用紙ジャム等を防止することができる。
【００３３】
請求項３記載の発明によれば、請求項１または２記載のプリンタにおいて、プリンタカバーの閉止動作の際にダンパ機構によってプリンタカバーの閉止方向への動作に対して抑制力を働かせることにより、プリンタカバーの重力による急激な回動を防止することができ、操作者等がプリンタカバーや上部ユニットによって指等を挟まれることを防止し、安全な運用を図ることができる。
【図面の簡単な説明】
【図１】本発明の実施の一形態のＰＯＳ端末の構造を示す外観斜視図である。
【図２】ＰＯＳ端末のプリンタ機構収納部付近を示す縦断側面図である。
【図３】サーマルプリンタユニットとプリンタカバーとの構成を概略的に示す分解斜視図である。
【図４】プリンタカバーを少し引き上げた状態のプリンタ部付近を示す縦断側面図である。
【図５】プリンタカバーを全開にした状態のプリンタ部付近を示す縦断側面図である。
【図６】プリンタカバーを押し下げてロックされる前の状態のプリンタ部付近を示す縦断側面図である。
【符号の説明】
２              ケーシング
４              プリンタ機構収納部
７              プリンタカバー
１２            プラテン
１４            下部ユニット
１５            サーマルヘッド
１６            上部ユニット
１６ａ          荷重位置
２０，２７      ロック解除機構
２３            押圧部材
２３ｃ          押圧部材の引出可能部分
２５，２９      連結機構
２８            ダンパ機構
Ｌ              ロック機構
【図１】
0003686543.tif 000002
【図２】
0003686543.tif 000003
【図３】
0003686543.tif 000004
【図４】
0003686543.tif 000005
【図５】
0003686543.tif 000006
【図６】
0003686543.tif 000007